(57)【要約】【課題】液晶表示部の破損を防止するとともに、液晶表示が見づらくなるという問題を克服することができる携帯端末装置を提供する。【解決手段】携帯端末装置において、ＬＣＤ５と、このＬＣＤ５の前面に設けられ、ＬＣＤ５を保護するためのパネル２と、ＬＣＤ５の背面に設けられ、ＬＣＤ５を保持するためのＬＣＤホルダ７と、ＬＣＤ５とＬＣＤホルダ７との間に介在された弾性体６とを具備し、パネル２に対して外力が加わったときに、この外力による弾性体６の変形により当該外力を吸収する。【選択図】　　図２
2004112305.tif 000002
【特許請求の範囲】
【請求項１】
携帯端末装置において、
液晶表示部と、
この液晶表示部の前面に設けられ、前記液晶表示部を保護するための保護部材と、
前記液晶表示部の背面に設けられ、前記液晶表示部を保持するための保持部材と、
前記液晶表示部と前記保持部材との間に介在された弾性部材と
を具備し、
前記前記保護部材に対して外力が加わったときに、この外力による前記弾性部材の変形により当該外力を吸収するようにしたことを特徴とする携帯端末装置。
【請求項２】
前記弾性部材は前記液晶表示部の周囲にも設けられていることを特徴とする請求項１記載の携帯端末装置。
【発明の詳細な説明】
【０００１】
【発明の属する技術分野】
本発明は、携帯端末装置に関するものである。
【０００２】
【従来の技術】
図７は、携帯端末装置の一つとしての携帯電話機の分解斜視図であり、特に、液晶表示部（以下、ＬＣＤと呼ぶ）とＬＣＤホルダ（保持部材）とで構成されるＬＣＤ部の分解のようすを示している。図７に示すように、電話機本体の外装部は背面ケース９と前面ケース３とから構成される。
【０００３】
携帯電話機の組立時は、ＬＣＤ５をＬＣＤホルダ７内に配置した後、当該ＬＣＤホルダ７を基板８上の所定の位置に固定する。また、前面ケース３のＬＣＤ対応部分にはＬＣＤ５を保護するためにパネル（保護部材）２と緩衝部材としてのスポンジ４が貼り付けられる。次に、ＬＣＤ５が取付けられた基板８を前面ケース３と背面ケース９とで挟み込むようにして前面ケース３と背面ケース９とを貼り合せる。このようにして携帯電話機の組立が完成する。図８は、従来の携帯電話機を組み立てたときの各部の配置の状態を示すＬＣＤ部分の断面図である。
【０００４】
【発明が解決しようとする課題】
上記した携帯電話機において、図９に示すように意図しない外力がＬＣＤ部に加わることにより、パネル２とＬＣＤ５とが接触する場合がある。この場合には、外力がそのままＬＣＤ５に伝達されてＬＣＤ５が破損してしまうことになる。
【０００５】
そこで、このようなＬＣＤ５の破損を防止するために、前面ケース３の肉厚を厚くしたり、ＬＣＤ５とパネル２の隙間を大きくすることが考えられる。しかしながらこの場合には、ＬＣＤ５の表示部分がその分ユーザから遠ざかることになるので、表示が見づらくなってしまうという問題が発生する。
【０００６】
本発明はこのような課題に着目してなされたものであり、その目的とするところは、ＬＣＤの破損を防止するとともに、ＬＣＤ表示が見づらくなるという問題を克服できる携帯端末装置を提供することにある。
【０００７】
【課題を解決するための手段】
上記の目的を達成するために、第１の発明は、携帯端末装置において、液晶表示部と、この液晶表示部の前面に設けられ、前記液晶表示部を保護するための保護部材と、前記液晶表示部の背面に設けられ、前記液晶表示部を保持するための保持部材と、前記液晶表示部と前記保持部材との間に介在された弾性部材とを具備し、前記前記保護部材に対して外力が加わったときに、この外力による前記弾性部材の変形により当該外力を吸収する。
【０００８】
また、第２の発明は、第１の発明に係る携帯端末装置において、前記弾性部材は前記液晶表示部の周囲にも設けられている。
【０００９】
【発明の実施の形態】
以下、図面を参照して本発明の実施形態を詳細に説明する。図１は、本発明の一実施形態に係る携帯端末装置としての携帯電話機１００の外観斜視図である。図１に示すように、電話機本体の前面には操作入力部６やＬＣＤ５が設けられ、電話機本体の上面にはアンテナ１が設けられている。
【００１０】
図２は、本実施形態に係る携帯電話機１００の分解斜視図であり、特に、ＬＣＤとＬＣＤホルダとで構成されるＬＣＤ部の分解のようすを示している。本実施形態ではＬＣＤ部をＬＣＤ５とＬＣＤホルダ７とそれらの間に介在される緩衝材としての弾性体（弾性部材）６により構成している。すなわち、ＬＣＤホルダ７内にＬＣＤ５を配置するにあたって、スポンジやゴム等からなる弾性体６を介在させた上で、ＬＣＤホルダ７を基板８上の所定の位置に固定する。また、前面ケース３のＬＣＤ対応部分にはＬＣＤ５を保護するためにパネル２とスポンジ４が貼り付けられる。次に、ＬＣＤ５が取付けられた基板８を前面ケース３と背面ケース９とで挟み込むようにして前面ケース３と背面ケース９とを貼り合せる。このようにして携帯電話機１００の組立が完成する。図３は、図１のＡ−Ａ断面図であり、携帯電話機１００を組み立てたときの各部の配置の状態を示している。
【００１１】
このように、弾性体６をＬＣＤ５とＬＣＤホルダ７の間に介在させることにより、パネル２に外力が加わってパネル２とＬＣＤ５とが接触（図４）することがあっても、当該外力は弾性体６が変形することにより吸収されてしまうのでＬＣＤ５自体には力が加わることはない。したがってＬＣＤ５が破損することを防止することができる。また、前面ケース３の肉厚を厚くしたり、ＬＣＤ５とパネル２の隙間を大きくする必要が無いので、ＬＣＤ５の表示部分がユーザから従来よりも遠ざかることがなくなり、液晶表示が見づらくなるという問題を克服することができる。
【００１２】
図５は、本実施形態の変形例を説明するための図である。この変形例は、弾性体６の表面と裏面に凹凸部６ａを設けたことを特徴とする。ＬＣＤ５に外力が加わることにより弾性体６が変形するが、外力が取り除かれると弾性体６は元の形状に復帰する。凹凸部６ａの形状は、弾性体６が元の形状に復帰するときにＬＣＤ５がＬＣＤホルダ７から遠ざかる方向に力が働くように最適化されている。これによって、弾性体６が元の形状に復帰するときにＬＣＤ５がＬＣＤホルダ７に干渉しないようにすることができる。
【００１３】
なお、凹凸部６ａは弾性部材の表面あるいは裏面のどちらか一方に設けるようにしてもよい。
【００１４】
図６（ａ）、（ｂ）は、本実施形態の他の変形例を説明するための図である。この変形例では、ＬＣＤホルダ７とＬＣＤ５の間のみならず、ＬＣＤ５の周囲の空間にも弾性体６ｂを配置したことを特徴とする。このような構成にすることにより、弾性体６が元の形状に復帰するときにＬＣＤ５がＬＣＤホルダ７に干渉しないようにすることができる。
【００１５】
【発明の効果】
本発明によれば、液晶表示部の破損が防止されるとともに、液晶表示が見づらくなるという問題を克服することができる。
【図面の簡単な説明】
【図１】本発明の一実施形態に係る携帯端末装置としての携帯電話機の外観斜視図である。
【図２】本実施形態に係る携帯電話機の分解斜視図である。
【図３】図１のＡ−Ａ断面図であり、携帯電話機を組み立てたときの各部の配置の状態を示している。
【図４】図２に示す構成の作用を説明するための図である。
【図５】本実施形態の変形例を説明するための図である。
【図６】本実施形態の他の変形例を説明するための図である。
【図７】従来の携帯電話機の分解斜視図である。
【図８】従来の携帯電話機を組み立てたときの各部の配置の状態を示すＬＣＤ部分の断面図である。
【図９】従来の携帯電話機の問題点を説明するための図である。
【符号の説明】
１　アンテナ
２　パネル
３　前面ケース
４　スポンジ
５　ＬＣＤ（液晶表示部）
６　弾性体
７　ＬＣＤホルダ
８　基板
９　背面ケース
１０　操作入力部
１００　携帯電話機
【図１】
2004112305.tif 000003
【図２】
2004112305.tif 000004
【図３】
2004112305.tif 000005
【図４】
2004112305.tif 000006
【図５】
2004112305.tif 000007
【図６】
2004112305.tif 000008
【図７】
2004112305.tif 000009
【図８】
2004112305.tif 000010
【図９】
2004112305.tif 000011